(57)【要約】  【課題】  照明器具のリモコンユニットにスピーカーを装備し、そこに内在する問題を解決しようとするものである。  【解決手段】  高周波点灯回路２と、この高周波点灯回路２により駆動される蛍光ランプなどのランプ３と、前記高周波点灯回路２を制御するリモコンユニット４を備えた照明器具であって、前記高周波点灯回路２とリモコンユニット４は別に配置され、前記リモコンユニット４は、リモコン制御信号５を受光する受光素子６と、この受光素子６の出力信号が入力されて点灯制御信号が出力される点灯制御マイコン７と、この点灯制御マイコン７の音声制御信号が入力される音声合成マイコン８と、この音声合成マイコン８の出力信号により駆動されるスピーカー９を備えた照明器具である。【選択図】  図１
2005276590.tif 000002
【特許請求の範囲】
【請求項１】
高周波点灯回路と、この高周波点灯回路により駆動されるランプと、前記高周波点灯回路を制御するリモコンユニットを備えた照明器具であって、前記高周波点灯回路とリモコンユニットは別に配置され、前記リモコンユニットは、リモコン制御信号を受光する受光素子と、この受光素子の出力信号が入力されて点灯制御信号が出力される点灯制御マイコンと、この点灯制御マイコンの音声制御信号が入力される音声合成マイコンと、この音声合成マイコンの出力信号により駆動されるスピーカーを備えた照明器具。
【請求項２】
請求項１において、リモコンユニットは、受光素子と点灯制御マイコンと音声合成マイコンを実装したプリント基板をケースに収めてなり、前記リモコンユニットは、本体の下面に設けた高周波点灯回路を覆う反射板の開口に取り付けられ、前記ケースの裏面開口縁に前記音声合成マイコンの裏面を覆うシールド板を係止した照明器具。
【請求項３】
請求項１において、リモコンユニットは、受光素子と点灯制御マイコンと音声合成マイコンを実装したプリント基板をケースに収めてなり、前記ケースは環状のランプの内周側に配置されるようにその外側縁が略円弧状をなし、これに対応して前記ケースとプリント基板は各々狭幅部を有し、これらの狭幅部において前記音声合成マイコンとスピーカーを配置した照明器具。
【請求項４】
ランプを駆動する高周波点灯回路を制御する照明器具用のリモコンユニットであって、前記高周波点灯回路とは別に配置され、リモコン制御信号を受光する受光素子と、この受光素子の出力信号が入力されて点灯制御信号が出力される点灯制御マイコンと、この点灯制御マイコンの音声制御信号が入力される音声合成マイコンと、この音声合成マイコンの出力信号により駆動されるスピーカーを備えたリモコンユニット。
【請求項５】
請求項４において、リモコンユニットは、受光素子と点灯制御マイコンと音声合成マイコンを実装したプリント基板をケースに収めてなり、前記プリント基板の非実装面に対向して前記ケースの内面にスピーカーを配置したリモコンユニット。
【発明の詳細な説明】
【技術分野】
【０００１】
本発明は、照明器具及びこの照明器具に用いるリモコンユニットに関する。
【背景技術】
【０００２】
特許文献１に開示された照明器具用のリモコンユニットでは、リモコン制御信号を受光する受光素子と、この受光素子の出力信号が入力されて負荷制御信号が出力される制御部(マイコン)を備えている。また、この文献に開示されていないがリモコンユニットにはブザーを備えている場合が多く、リモコン送信器でリモコン制御信号を送信すると照明器具側のランプの点灯制御状態に応じて単純なブザー音を鳴らしていた。
【特許文献１】特開２００３−１６２９２０号公報
【発明の開示】
【発明が解決しようとする課題】
【０００３】
しかし、ブザー音は音量・音質とも不満足な点が大きい。そこで、本発明はこのような解決すべき課題を鑑み、照明器具のリモコンユニットにスピーカーを装備し、そこに内在する問題を解決しようとするものである。
【課題を解決するための手段】
【０００４】
本発明を要約すると、高周波点灯回路と、この高周波点灯回路により駆動されるランプと、前記高周波点灯回路を制御するリモコンユニットを備えた照明器具であって、前記高周波点灯回路とリモコンユニットは別に配置され、前記リモコンユニットは、リモコン制御信号を受光する受光素子と、この受光素子の出力信号が入力されて点灯制御信号が出力される点灯制御マイコンと、この点灯制御マイコンの音声制御信号が入力される音声合成マイコンと、この音声合成マイコンの出力信号により駆動されるスピーカーを備えた照明器具である。
【発明の効果】
【０００５】
本発明によれば、高周波点灯回路とリモコンユニットは別に配置されており、高周波誘導ノイズに弱い音声合成マイコンと高周波点灯回路とが離隔されることにより音声合成マイコンに悪影響を与えない効果が得られる。また、点灯制御マイコンと音声合成マイコンを近接配置できるため、音声合成マイコンの入力ラインに乗る誘導ノイズを極小化できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、商用交流電源１が供給される高周波点灯回路２と、この高周波点灯回路２により駆動される蛍光ランプなどのランプ３と、前記高周波点灯回路２を制御するリモコンユニット４を備えた照明器具であって、前記高周波点灯回路２とリモコンユニット４は別に配置され、前記リモコンユニット４は、リモコン制御信号５を受光する受光素子６と、この受光素子６の出力信号が入力されて点灯制御信号が出力される点灯制御マイコン７と、この点灯制御マイコン７の音声制御信号が入力される音声合成マイコン８と、この音声合成マイコン８の出力信号により駆動されるスピーカー９を備えた照明器具である。この構成によれば、高周波点灯回路２とリモコンユニット４は別に配置されており、高周波誘導ノイズに弱い音声合成マイコン８と高周波点灯回路２とが離隔されることにより音声合成マイコン８に悪影響を与えない効果が得られる。また、点灯制御マイコン７と音声合成マイコン８を近接配置できるため、音声合成マイコン８の入力ラインに乗る誘導ノイズを極小化できる。なお、音声合成マイコン８の出力は適宜、アンプ１０を介してスピーカー９を駆動している。また、点灯制御マイコン７の出力はドライバー１１を介して常夜灯の役割を担う発光ダイオード１２を駆動している。また、リモコンユニット４には高周波点灯回路２を実装した基板１３に搭載した直流電源回路(図示せず)から直流電源(+V)が供給されるとよい。
【０００８】
リモコンユニット４は、受光素子６と点灯制御マイコン７と音声合成マイコン８などを実装したプリント基板１４を樹脂製のケース１５に収めてなり、前記リモコンユニット４は、照明器具を構成する金属製の本体１６の下面に設けた高周波点灯回路２を覆う金属製の反射板１７の開口１８に適宜手段で取り付けられ、前記ケース１５の裏面開口縁に前記音声合成マイコン８の裏面を覆うシールド板１９を係止している。これにより、高周波誘導ノイズに弱い音声合成マイコン８と高周波点灯回路２のさらなるシールド効果により音声合成マイコン８に与える悪影響をシャットアウトできるとともに、シールド板１９の取り付けが簡単に実施できる。シールド板１９としてはプリント基板１４側を絶縁性とした絶縁基板の反対面(裏面)に銅箔を貼り付けたものが適当である。また、シールド板１９はケース１５の裏面開口縁の弾性爪２０などに係止保持させるとよい。また、環状のランプ３やこのランプよりさらに外径の小さい環状のランプが配置される照明器具を考慮して、そのような環状のランプの内周側に配置されるように前記ケース１５の外側縁は略円弧状をなし、これに対応して前記ケース１５とプリント基板１４は各々狭幅部２１、２２を有し、これらの狭幅部２１、２２において前記音声合成マイコン８とスピーカー９を省スペースで配置している。また、リモコンユニット４は、前記プリント基板１４の非実装面(部品が実質的に実装されていない面)に対向して前記ケース１５の内面にスピーカー９を配置して、スペース利用効率を高めている。
【０００９】
さらに詳述すれば、本照明器具は天井２３に適宜手段で取り付けられ、その本体１６の下面に設けた高周波点灯回路２を実装した基板１３に対して、リモコンユニット４からはそのプリント基板１４に実装したコネクタ２４から接続したケーブル(図示せず)が接続される。また、スピーカー９への配線３１はプリント基板１４に実装したコネクタ３２にプリント基板１４とケース１５の側壁空間を利用してコネクタ接続される。
【００１０】
本実施形態では、図外のリモコン送信器からのリモコン制御信号５は受光素子６で受光されて、点灯制御マイコン７により高周波点灯回路２が制御されてランプ３の点灯状態を変えられる。この際、点灯制御マイコン７の音声制御信号が音声合成マイコン８に入力され、この音声合成マイコン８の出力信号によりスピーカー９が駆動されて、ブザー音に比べて大音量・高音質の音が発せられる。この際、例えばランプ３の調光制御度合に応じて「５０％省エネです」などの自在の音声を発生できるようにすると、ユーザーに省エネ度合を意識させやすくなる。
【図面の簡単な説明】
【００１１】
【図１】(A) 本発明の実施形態を示す回路ブロック図、(B) 同リモコンユニットの回路ブロック図
【図２】同リモコンユニットの断面図
【図３】(A) 同リモコンユニットの下面図、(B) 同裏面図
【図４】(A) 同リモコンユニットのプリント基板下面図、(B) 同裏面図
【図５】同リモコンユニットを用いた照明器具の断面図
【図６】同下面図
【符号の説明】
【００１２】
２  高周波点灯回路
３  ランプ
４  リモコンユニット
５  リモコン制御信号
６  受光素子
７  点灯制御マイコン
８  音声合成マイコン
９  スピーカー
１４  プリント基板
１５  ケース
１６  本体
１７  反射板
１８  開口
１９  シールド板
２１、２２  狭幅部
【図１】
2005276590.tif 000003
【図２】
2005276590.tif 000004
【図３】
2005276590.tif 000005
【図４】
2005276590.tif 000006
【図５】
2005276590.tif 000007
【図６】
2005276590.tif 000008